(57)【要約】【課題】データを光ディスクに書きこむことに関連するエラーを最小限に抑えること。【解決手段】符号化されるデータを示す名目記号長を有する一連のデータ記号を提供するステップと、光ディスクの読み戻し特徴を最適化するために一連のデータ記号の名目記号長を個別に変えることによって最適化された書込みビーム変調信号を発生させるステップと、を備え、光ディスクでデータを符号化するために使用される最適化された書込みビーム変調信号を発生させる。【選択図】図３
2008108422.tif 000002
【特許請求の範囲】
【請求項１】
マスタディスクを作成する光ディスクマスタ作成プロセスで、
書込みビームを変調するための変調信号を発生させる信号処理システムに作用するように接続可能なマスタドライバ回路であって、
前記変調信号の連続部分を受け取り、一時的に記憶するラッチと、
前記ラッチに作用するように結合され、選択された周波数のマスタクロックを生成し前記ラッチに供給して、前記マスタクロックの前記選択された周波数で前記変調信号をクロック同期させなおすマスタ発振器と、
を備えるマスタドライバ回路を有する装置。
【請求項２】
前記マスタドライバ回路は、
前記信号処理システムから機械的かつ電気的に隔離されており、前記マスタ発振器に電力を供給するマスタ電源
をさらに有する、請求項１に記載の装置。
【請求項３】
前記マスタドライバ回路に作用するように結合され、前記マスタディスクへのデータの書き込みの変調をするための最適化された変調信号を、クロック同期させなおされた前記変調信号から発生させる最適化回路であって、最適化された前記変調信号は一連のデータ記号を有し、該各データ記号は、１セットの、関係する名目記号長の一つに相当する長さとなるようになったリーディングエッジおよびトレーリングエッジを有する、最適化回路をさらに有し、該最適化回路は、前記マスタディスクの読み戻し性能を最適化するように前記各データ記号のリーディングエッジおよびトレーリングエッジのそれぞれの相対的なタイミングを個別に調整することによって、前記各データ記号の長さを最適化する、請求項２に記載の装置。
【請求項４】
前記最適化回路は、さらに、人間が判別できる透かしを前記マスタディスク上に配置するように、少なくとも選択された前記データ記号のリーディングエッジとトレーディングエッジを調整するように動作する、請求項３に記載の装置。
【請求項５】
前記最適化回路は、さらに、人間が前記マスタディスクを目視しても、存在するかどうかを実質的に判別することができない隠しコードを配置するように、少なくとも選択された前記データ記号のリーディングエッジとトレーディングエッジを調整するように動作し、前記隠しコードは、前記マスタディスクの、権限のない複製を防ぐための著作権侵害対抗情報を提供する、請求項３に記載の装置。
【請求項６】
前記マスタ電源はアナログ電源である、請求項２に記載の装置。
【請求項７】
前記マスタドライバ回路による前記変調信号のクロック同期のさせなおしは、前記変調信号から電気的なジッタを排除するように選択される、請求項１に記載の装置。
【請求項８】
マスタディスクを作成する光ディスクマスタ作成プロセスに用いられる装置であって、前記マスタディスクへのデータの書き込みの変調をするための変調信号を発生させる変調回路を有し、前記変調信号は、第１の電源によって電力を供給される第１のクロック回路によって、選択された周波数でクロック同期させられる、装置において、
前記変調信号を受け取りクロック同期させなおして、前記マスタディスクへのデータの書き込みを変調するための最適化された変調信号を発生させるマスタドライバ回路であって、
前記変調信号の連続部分を受け取り、一時的に記憶するラッチと、
前記ラッチに作用するように結合され、選択された周波数のマスタクロックを生成し前記ラッチに供給して、前記マスタクロックの前記選択された周波数で前記変調信号をクロック同期させなおすマスタ発振器と、
を備えるマスタドライバ回路をさらに有することを特徴とする装置。
【請求項９】
前記マスタドライバ回路は、
前記変調回路から機械的かつ電気的に隔離されており、前記マスタ発振器に電力を供給する第２の電源
をさらに有している、請求項８に記載の装置。
【請求項１０】
前記第２の電源はアナログ電源である、請求項９に記載の装置。
【請求項１１】
前記最適化された変調信号は一連のデータ記号を有し、該各データ記号は、１セットの、関係する名目記号長の一つに相当する長さとなるようになったリーディングエッジおよびトレーリングエッジを有し、
前記マスタディスクの読み戻し性能を最適化するように前記各データ記号のリーディングエッジおよびトレーリングエッジのそれぞれの相対的なタイミングを個別に調整することによって、前記各データ記号の長さを最適化する最適化回路をさらに有する、請求項９に記載の装置。
【請求項１２】
前記最適化回路は、さらに、人間が判別できる透かしを前記マスタディスク上に配置するように、少なくとも選択された前記データ記号のリーディングエッジとトレーディングエッジを調整するように動作する、請求項１１に記載の装置。
【請求項１３】
前記最適化回路は、さらに、人間が前記マスタディスクを目視しても、存在するかどうかを実質的に判別することができない隠しコードを配置するように、少なくとも選択された前記データ記号のリーディングエッジとトレーディングエッジを調整するように動作し、前記隠しコードは、前記マスタディスクの、権限のない複製を防ぐための著作権侵害対抗情報を提供する、請求項１１に記載の装置。
【請求項１４】
前記マスタドライバ回路による前記変調信号のクロック同期のさせなおしは、前記変調信号から電気的なジッタを排除するように選択される、請求項８に記載の装置。
【請求項１５】
光ディスクマスタ作成プロセスでマスタディスクを作成する方法であって、前記マスタディスクへのデータの書き込みの変調をするための変調信号を生成するステップを有する方法において、
前記変調信号の連続部分を受け取り、一時的に記憶するステップと、
マスタ発信器による、選択された周波数のマスタクロックを用いて前記変調信号をクロック同期させなおすステップと、
前記マスタディスクにデータを書き込むのに、クロック同期させなおされた前記変調信号を用いるステップと、
をさらに有することを特徴とする方法。
【請求項１６】
前記生成するステップの前記変調信号は、第１の電源によって電力を供給される変調回路を用いて生成され、前記クロック同期させなおすステップは、前記第１の電源から電気的かつ機械的に隔離された第２の電源を用いて前記マスタ発信器に電力を供給することを含んでいる、請求項１５に記載の方法。
【請求項１７】
前記第２の電源はアナログ電源である、請求項１６に記載の方法。
【請求項１８】
前記用いるステップの前に、クロック同期させなおされた前記変調信号のリーディングエッジおよびトレーディングエッジの遷移を個別に調整するステップをさらに有する、請求項１６に記載の方法。
【請求項１９】
前記個別に調整するステップは、前記遷移を、前記マスタディスク上に第２のデータを配置するように調整することを有している、請求項１８に記載の方法。
【請求項２０】
前記変調信号のクロック同期のさせなおしは、前記変調信号から電気的なジッタを排除するように選択される、請求項１５に記載の方法。
【発明の詳細な説明】
【技術分野】
【０００１】
本発明は、光ディスクデータ記憶装置の分野に関し、さらに特定すると、制限はないが、ディスクの読み戻し特徴を改善するための光ディスクのピットおよびランド遷移ロケーションの個別調整に関する。
【背景技術】
【０００２】
光ディスクは、デジタルで記憶されるデータのための効率的かつ経済性に優れた記憶媒体としてますます人気を博している。典型的な光ディスクは、屈折基板に埋め込まれている光反射材の記録層を有する円形ディスクを備える。該記録層は、ディスクがその回りを回転する軸に実質的に垂直な平面に沿って配置され、連続して伸張する螺旋トラックに沿って局所化されたピットおよびランド（「マーク」および「スペース」と呼ばれることもある）の形でデータを記憶する。各ピットおよびランドの長さは、選択された数のデータ記号の一つに相当する（たとえば、３Ｔから１１Ｔまでで、Ｔは決められた長さである）。
【０００３】
データ記号は、回転するディスク、およびピットとランドの反射率の相対的な差異に関係してデータを示す読み戻し信号を発生させるトランスデューサに、選択された波長の光を適用する（レーザなどの）光源を使用することによりディスクから回復される。さらに特定すると、ランドによって反射される光の量に比較して、ピットによって反射される光の量での実質的な変化を助長するために、ピットおよびランドの相対的な仰角を、適用される光の４分の１の波長に等しい距離で分離することが一般的である。
【０００４】
世間に広まっている一つの光ディスクフォーマットが，一般的にコンパクトディスク、すなわちＣＤと呼ばれ、（ＣＤ−ＲＯＭなどの）コンピュータの用途において、および音楽録音業界（オーディオＣＤ）において近年、普及してきている。ＣＤは、１２０ミリメートル（４．７２４インチ）という外径、および約６００メガバイト（ＭＢ）というデータ記憶容量を備える。したがって、数十の、あるいは数百もの３−１／２インチ、１．４４ＭＢフロッピー(登録商標）ディスケットの使用を必要とする大型コンピュータソフトウェアアプリケーションは、単一のＣＤ−ＲＯＭを使用し有利にインストールすることができる。さらに、典型的なオーディオＣＤは約７４分３３秒の録音された音楽を収容し、デジタル録音技術により改善された音質を提供する。それゆえに、オーディオＣＤは、本質的にアナログ録音されたビニール製のＬＰレコードを徐々に排除し、えり抜きの音声録音媒体となった。
【０００５】
世間に広まっている別の光ディスクフォーマットは、一般的にはデジタルバーサタイルディスク、すなわちＤＶＤと呼ばれる。ＤＶＤは、通常、典型的なＤＶＤはＣＤと同じ寸法であるが、ピット／ランド幾何学形状の削減およびデータ符号化と回復の技法の改善によってデータ記憶密度が高まったために、１記録層あたり約４．７ギガバイト（ＧＢ）を記憶できるという点で、「高密度」ＣＤと考えることができる。したがって、ＤＶＤは、長編映画（ビデオＤＶＤ）、コンピュータ記憶装置（ＤＶＤ−ＲＯＭ）、および音楽（オーディオＤＶＤ）用の記憶媒体として有利に活用することができる。
【０００６】
【特許文献１】米国特許第５，６０８，７１１号明細書
【特許文献２】米国特許第５，４８６，８２７号明細書
【発明の開示】
【発明が解決しようとする課題】
【０００７】
前述されたように、データは、ピットおよびランドの選択された記録長さに関して光ディスクによって記憶される。したがって、データの信頼できる読み戻しには、（ＣＤプレーヤーなどの）プレイバック装置によるピットおよびランドの個々の長さの正確な復号化が必要になる。残念なことに、不具合は、典型的には光ディスクを作成するために使用されるマスタ作成／復製プロセスで生じ、その結果複製された光ディスク（「レプリカ」）は読み戻しプロセスに影響を及ぼすことのある小さなエラーを含むことがある。このようなエラーは、マスタ作成／復製プロセスの多様なステップの間に生じることがある。
【０００８】
１９９７年３月４日にＢｒｏｗｎｅらに発行された特許文献１、および１９９６年１月２３日にＳｈｉｍｉｚｕｍｅらに発行された特許文献２に説明されているように、このようなエラーを最小限に抑えるために従来の技術において多様な努力がなされてきた。しかし、これらのおよびそれ以外の従来の技術による参考文献は、典型的には、プロセスに大局的な調整を提供し、さらに短いピットとランドおよびさらに長いピットとランドの両方を許容可能な公差にするために試みがなされる一般的な試行錯誤のアプローチを必要とする。
【０００９】
したがって、それによって、光ディスクの品質および製造性を高めるために光ディスクマスタ作成／復製プロセスにまつわる多様なエラーを最小限に抑えることができる技術における改善策に対するとどまることのないニーズがある。
【００１０】
本発明は、データを光ディスクに書きこむことに関連するエラーを最小限に抑えるための装置および方法を目的としている。
【課題を解決するための手段】
【００１１】
現在好まれている実施の態様に従い、レーザビームレコーダの書込みビームを変調するために使用される最適化された変調信号を発生させるために、最適化回路が提供されている。
【００１２】
該最適化された変調信号は、その結果として光ディスクで生じるピットおよびランドに相当する一連のデータ記号を備える。最適化回路は、最適化された変調信号でのデータ記号の振幅だけではなくデータ記号のリーディングエッジおよびトレーリングエッジを個別に調整することによって、光ディスク上のピットとランド遷移のロケーション、ひいてはピットおよびランドの長さを最適化する。さらに特定すると、最適化回路は、記号の名目長さに関して選択される期間の遅延を提供する遅延テーブルを活用する。このようにして、ディスク上の各ピットおよびランドの特定の長さは、ディスク上のピットおよびランドの半径方向のロケーションおよび角ロケーションを含む、それ以外のファクタだけではなく名目記号長にも基づき、個々に選択することができる。
【００１３】
さらに、ピットおよびランド遷移を選択的に配置することは、さらに、選択された量変化する遅延値を有するテーブルの組を使用することによって光ディスク上にデータの第２セットを埋め込むために使用することができる。さらに特定すると、特定の領域内でのピットまたはランドの相対的な長さは、ディスクに書き込まれる一時データを記憶しつつも、目に見えるように微分可能となるほど十分に調整することができる（透かし）。同様に、１ナノ秒以下などのディスクの部分でのピットおよびランドの相対的な長さのわずかな差異は、著作権侵害対抗目的等のために「隠し」データを提供するために有利に使用することができる。両方のケースとも、データの第２セットは、一時データに無関係に記録され、したがって主要なデータの読み戻しを妨害しない。
【００１４】
最後に、データ相互関連ジッタを含む電気的なジッタエラーは、最適化回路による最適化された変調信号の発生の前に、初期変調信号を計時するために使用できるマスタドライバ回路を通してさらに最小限に抑えることができる。
【００１５】
本発明を特徴付けるこれらのおよび多様な特徴と優位点は、以下の詳細な説明を読み、関連図面を検討することにより明白となるだろう。
【発明を実施するための最良の形態】
【００１６】
本発明の好まれている実施態様の多様な態様を述べるために、典型的な光ディスクマスタ作成／復性プロセスで実行されるステップが、まず簡略に説明される。図１を参照すると、そこには、光ディスクマスタリング／複製プロセス１００の汎用化されたフローチャートが示されている。図１によって述べられるプロセスが、単一のマスタ作成および複製施設で、あるいは代わりに別個のマスタ作成施設と複製施設を備える異なる商業的な組織によって実行できることが理解されるだろう。
【００１７】
図１のプロセスは、ガラスブランクが初期にフォトレジストの薄い層で被覆されるブロック１０２で始まると示されている。認識されるように、ガラスブランクは、正確な寸法を有し、スピンコートまたは類似するプロセスを使用してその上にフォトレジストが付着されるガラスディスクを備える。フォトレジストの層の厚さが主として、結果として生じる複製されたディスク上のピットとランドの間の仰角の距離を決定するために、フォトレジストのガラスブランクへの塗布は大いに制御されている。いくつかのケースでは、ニトロセルロースまたは類似材料を備える非フォトレジスト（ＮＰＲ）をフォトレジストの代わりに使用することができる。
【００１８】
いったん付着されると、フォトレジストは、ブロック１０４によって示されるように硬化する。（フォトレジストが硬化した）ガラスディスクは隣に配置され、レーザビームレコーダ（ＬＢＲ）のターンテーブルの上で回転され、フォトレジストはブロック１０６によって示されるように、ＬＢＲの半径方向に設置可能なレーザの変調されたビームに選択的に露呈されている。ブロック１０６の動作中、通常、結果として生じる複製されたディスクの所望のピットおよびランドの形状構成に（肯定的にまたは否定的にのどちらかで）相当する所望のマスタ作成パターンを示す変調信号が発生する。参考のため、多段変調信号を含む他の種類の変調信号も所望されるように使用できるが、変調信号は、ＣＤマスタ作成のための８から１４の符号化された拡張周波数変調（ＥＦＭ）信号、およびＤＶＤマスタ作成のための８から１６の符号化された拡張周波数変調プラス（ＥＦＭ＋）信号である。本発明の好まれている実施態様に従った変調信号の発生は、以下に詳細に説明される。
【００１９】
図１のフローで続けると、選択的に露呈されるフォトレジストが、ガラスマスタを作成するためにブロック１０８で現像される。化学エッチングプロセスは、通常、露呈されたフォトレジスト（あるいは、代わりに露呈されていないフォトレジスト）を取り除くために実行される。しかしながら、ＮＰＲがフォトレジストの代わりに活用されるとき、ＮＰＲはＬＢＲの変調された光ビームに関連するエネルギーにさらされると特徴的に蒸発する傾向があるため、ブロック１０８の動作は、典型的には不必要である。
【００２０】
ガラスディスクおよび硬化したフォトレジスト材を備えるガラスマスタは、薄い導電層をフォトレジスト材を備える側に付着することによってブロック１１０でつぎに金属化される。典型的に利用される金属化技法は、真空蒸着、スパッタリング、および無電解ニッケル蒸着を含む。ガラスマスタの金属化は、ブロック１１２に示されているように、それ以降のそこからのスタンパーの製作を容易にする。
【００２１】
さらに特定すると、ブロック１１２の動作は、通常、金属化されたガラスマスタの幾何学形状の逆のピットとランドの幾何学形状を有する対応する成形陰極を成長させるために、金属化されたガラスマスタを直流電気浴にさらすことを備える。該成形陰極がスタンパーとして使用されなければならないとき、それは、内径と外径（ＩＤとＯＤ）寸法を形成するために後に打ち抜かれ、指定される表面粗さに裏砂処理される。対応して、該成形陰極はマザーを成長させるために使用することができ、その場合、該成形陰極は化学的に処理されてから、その中からそれ以降のスタンパーを形成することができる逆マザーを成長させるために直流電気浴に再びさらされる。これは、ファミリープロセスと呼ばれることがあり、初期の金属化されたガラスマスタは典型的には単一の成形陰極を形成するためだけに使用できるので、有利に、相対的に長い生産ラン用の複数のスタンパーの作成を容易にする。
【００２２】
いったん所望のスタンパーがブロック１１２から得られると、プロセスはブロック１１４へ続行し、そこでは該スタンパーが部分的なレプリカを形成するために射出成形プロセスで活用される。さらに特定すると、スタンパーは、ポリカーボネートなどの溶融屈折材が高温および高圧でその中に射出されるモールドの一つの壁を形成するように設置される。材料は、典型的には中心から（すなわち、スタンパーのＩＤから）射出され、外向きに流れる。モールドの加熱流路および冷却流路は、一方の側で滑らかであり、他方の側で所望のピットとランドの形状構成を持つ名目上透明なプラスチックディスクを備えるそれぞれの部分的なレプリカを効率的に形成しようとして、材料をすばやく加熱してから、冷却するために活用される。各レプリカの形成のための典型的なサイクル時間は、大量製造環境において１個あたり約４秒から６秒である。
【００２３】
ブロック１１４の成形プロセスが相対的に複雑であり、多様な温度、圧力およびタイミング事象に対処する１４０もの多くの異なるパラメータが結果として生じる、そこから形成される部分的レプリカの品質に影響を及ぼすという点で、典型的には厳重に管理されなければならないことが認識されるだろう。スタンパーおよびモールドの形状構成などの追加ファクタが、さらに部分的なレプリカの品質に対して重大な影響を及ぼすことがある。
【００２４】
いったん形成されると、それぞれの部分的なレプリカは、ブロック１１６によって示されるように金属化され、それによって（アルミニウムなどの）屈折材の薄い層が部分的なレプリカのピットとランドの側に適用される。いったん金属化されると、紫外線（ＵＶ）硬化可能ラッカーなどの材料が、スピンコートまたは類似したプロセスを使用して、ブロック１１８、屈折層に塗布され、その後で塗布された材料は硬化し、ブロック２０、完成した密封されたレプリカを形成する。最後に、レプリカは、シルクスクリーンなどの適当な印刷プロセスを使用して印刷され、ブロック１２２、プロセスはブロック１２４で終了する。
【００２５】
図１のプロセスから形成された完成したレプリカは、それにより記憶されるデータを示す記号長を正確に反映するピットとランドの幾何学形状を有することが意図されるが、これらの幾何学形状に悪影響を及ぼす図１のプロセス全体でエラーが生じることがある。これらのエラーの多様な種類およびソースが、ここで説明されるだろう。
【００２６】
図２を参照すると、１３０に示されているのは、理想的な記号長を有する複製されたディスク（図示されていない）の形態の一部の表記である。さらに特定すると、理想的な形態１３０は、（Ｔが決定された長さである）それぞれ３Ｔ、４Ｔ、５Ｔ、６Ｔおよび７ＴというｎＴ記号長を有する一連のランド１３１，１３２，１３３，１３４、および１３５を含む。図２に示されているものを超える追加記号長は、典型的には光ディスク（たとえば、ＣＤ符号化は、典型的には３Ｔから１１Ｔの記号長を利用する）によって使用され、図２によって述べられる横縦比が明快にするために誇張されていることは容易に理解されるだろう。さらに、図２に数値的に示されていないが、対応する記号長を有するピットは、ランド１３１、１３２、１３３、１３４および１３５の隣接する組の間に置かれる。５０％という名目デューティーサイクルが、通常、１３０で述べられるような理想的な形態で達成される、すなわちランド長の和合計は名目上、ランド長とピット長の和合計の５０％に等しいことが認識されるだろう。
【００２７】
それにより記憶されているデータが、読み戻し動作中に正確にかつ信頼できるように復号化できるように、１３０によって表されているような形態を有するレプリカを提供することが望ましい。しかしながら、エラーは、図１のマスタ作成／複製プロセスの多様な段階で生じることがあり、その結果ピットおよびランド遷移は、図２のランド１３１、１３２、１３３、１３４および１３５のそれぞれの境界となる点線によって示される理想的な遷移ロケーションとは異なるロケーションに該当する。より小さいピットおよびランドに関連するエラーは、通常、より大きいピットおよびランドに関連するエラーより読み戻し性能に大きな悪影響を及ぼし、後述されるように、このようなエラーを大局的に補償する試みは、多くの場合、最短記号長と最長記号長のピットおよびランドの両方を許容公差内に保つことの兼ね合いを生じさせる。
【００２８】
図１のプロセスによって一般的に生じるエラーの一つのタイプは、図２の１４０で表される非対称形態によって示されるような非対称として知られている。非対称は、通常、（ランドなどの）一つのタイプの記号キャリヤが、すべて対応する名目記号長よりわずかに長く、（ピットなどの）残りのタイプの記号キャリヤが、すべて対応する名目記号長よりわずかに短い状態として理解されるだろう。言い替えると、非対称は、５０％以外の名目デューティーサイクルを持つレプリカを生じさせる。一連のランド１４１，１４２，１４３，１４４および１４５のそれぞれが理想的な形態１３０の対応する理想的なランド１３１，１３２，１３３，１３４および１３５よりわずかに長いので、非対称は図２の形態１４０に示される。
【００２９】
非対称は、ガラスマスタの金属化（ブロック１１０）の間およびスタンパー作成（ブロック１１２）の間だけではなく、ガラスマスタの露呈の間（ブロック１０６図１）の間の誤差の結果として生じることがある。非対称の影響は周知であり、従来の技術においては、結果として生じる複製されたディスクでの非対称の存在を削減し、さらに短い記号の検出を強化しようとして、マスタ作成中の変調信号遷移閾値の削減などの大局的な補償技法を適用することが一般的である。すなわち、従来の技術の変調信号は瞬間ではないピットおよびランドの遷移を有するが、むしろｎＴ記号長の範囲が人間の目に似て、多くの場合目のパターンと呼ばれるようにいくぶんシヌソイドであるため、従来の技術のマスタ作成技法は、（３Ｔなどの）最小記号を少し長くして、下流プロセスにより生じる非対称を補償するために、検出閾値を約４０％などのさらに低い値まで減少させた。しかしながら、このような大局的な閾値変化は、各記号長に少し異なって影響を及ぼす傾向があり、許容できる妥協点に到達するために試行錯誤のアプローチを必要とする。
【００３０】
偏差と呼ばれる第２の種類のエラーも、図２の形態１５０によって表されるように、図１のマスタ作成／復性プロセスで生じることがある。広義には、偏差はいくぶん無作為にピットとランド遷移を誤って配置することであり、おもに図１のブロック１１４の射出成形プロセス中に発生する。さらに特定すると、スタンパーの表面上の同サイズのピットおよびランドは、レプリカの角位置と半径方向位置の両方に関して、部分的なレプリカで異なる大きさに作られた対応するランドおよびピットを作成することがある。偏差は、通常、ランド１５１，１５２，１５３，１５４および１５５の長さの変動により図２の形態１５０に示される。
【００３１】
ブロック１１４（図１）の射出成形プロセスは高度に管理されているが、射出された溶融ポリカーボネートは、それにも関わらず、半径方向ロケーションおよび角変位されたモールド冷却流路に対する相対的な近接さなどの多様なファクタに応じて、不均一な速度で冷却する。このような冷却速度の変動は、記録面でのピットおよびランドの幾何学形状での変動を生じさせることがある。
【００３２】
大量複製環境の制約が、各レプリカのサイクル時間の最小限化を支配するので、部分的なレプリカがモールドから半塑性状態で外される間に変形するとき、さらに偏差エラーが生じる場合がある。ときおり、このような偏差エラーは、ゴースト硬化として目に見えて認められることがあり、レプリカのデータ読み戻し面での無作為な不透明な透かしに似ている。
【００３３】
第３の種類のエラーは、ここでは、電気的な雑音の、マスタ作成プロセス中に活用される多様な電気信号への導入によって引き起こされる電気ジッタと呼ばれる。偏差のように、ジッタエラーは、多くの場合、図２の関連するランド１６１，１６２、１６３，１６４、および１６５のあるジッタ形態１６０によって示されるように、いくぶん無作為に分布される。
【００３４】
ジッタエラーは、無作為ジッタ、特種高周波ジッタ、およびデータ相互関連ジッタという三つのメインカテゴリに分類することができる。無作為ジッタは、通常、ブロック１０６の変調信号を発生させるために必要な信号処理を提供するために典型的には使用されるパーソナルコンピュータ（ＰＣ）環境では固有の無作為電気雑音によって引き起こされる。
【００３５】
特種高周波ジッタは、典型的には信号処理動作に関連する装置によって生じる指定された周波数での雑音である。たとえば、３７．４キロヘルツ（ｋＨｚ）の高周波が、信号処理ＰＣに関連し、この一波案的に活用されている周波数で動作するする陰極線管（ＣＲＴ）モニタによる変調信号で生じることがある。
【００３６】
データ相互関連ジッタは、入力されたデータストリーム自体によって生じ、したがって入力されたデータストリーム自体に相互関連する変調信号の雑音である。特に、入力されたデータストリームの伝送がＰＣ電源から引き出される電流の多大な変動を生じさせることがあることが確認された。たとえば、後ろに００００データワードが続くＦＦＦＦデータワードの伝送は、出力電源電圧で変動を投入するのに十分な負荷電流の変動を引き起こすことがある。同じ電源が、変調信号を発生させるために使用されるクロック発振器に電力を提供するため、入力されたデータストリームによって生じるこのような変動は、実際にそのデータに相互関連する電気ジッタを引き起こすことがある。データ相互関連ジッタは、このようなジッタが、音声レプリカがそれ以外の場合十分に指定公差内にある特性を示したとしても、音声レプリカの読み戻し中に音質をじわじわと劣化させることがあるため、特にハイファイ愛好家にとっては不快となることがある。
【００３７】
本発明は、これらのおよび多様なそれ以外の種類の、図１のマスタ作成／複製プロセスにまつわるエラーを、プロセスによって生じるレプリカ上の各ピットとランドのロケーションを個別に調整する能力を与えることによって最小限に抑える。ここで図３を参照すると、そこに示されているのは、本発明の第１の好まれている実施態様の機能ブロック図である。
【００３８】
さらに特定すると、図３は、従来の信号処理システム２０８によって信号経路２０６上で提供される変調信号に応えて、信号経路２０２で修正された変調信号を発生させ、従来のレーザビームレコーダ（ＬＢＲ）２０４に出力する最適化回路２００を示す。後述されるように、最適化回路２００は、前述された多様なエラーを補償するために、経路２０６から入力変調信号を最適化するために動作する。ＬＢＲ２０４は、前述されたように、レーザビーム変調を通してガラスマスタを選択的に露呈する能力を有する複数の市販されているシステムの任意の一つである場合がある。さらに、信号処理システム２０８は、入力されたデータストリームに応えて変調信号を発生させるために活用される多数の市販されているシステムの任意のものである場合がある。特に適当な信号処理システムは、米国合衆国、オクラホマ州、クッシング（Ｃｕｓｈｉｎｇ，Ｏｋｌａｈｏｍａ，ＵＳＡ）のダグカーソンアンドアソシエーツ社（Ｄｏｕｇ Ｃａｒｓｏｎ＆Ａｓｓｏｃｉａｔｅｓ，Ｉｎｃ．）のＰＣベースのＭＩＳ−６システムである。
【００３９】
今度は図４を参照すると、そこに示されているのは、制御プロセッサ２１０、関連メモリ２１２、およびクロック発振器２１４を含む信号処理システム２０８の多様な構成部品と関連する、図３の最適化回路２００の好まれている構造の機能ブロック図である。図４の実施態様においては、最適化回路２００は、好ましくは、信号処理システム２０８のＰＣ環境内に置かれ、図４に示される信号処理システムの多様な構成部品への即座のアクセスを提供する。
【００４０】
当初、それぞれ立ち上がり縁検出器２１６、立ち下がり縁検出器２１８、およびランレングス検出器２２０に提供される図３の変調信号が図４に示されている。立ち上がり縁検出器２１６は、変調信号の各立ち上がり縁を検出し、その動作がさらに詳細に後述される立ち上がり縁遅延発生器２２４へ経路２２２上で出力検出信号を提供するために動作する。認識されるように、経路２０６からの入力変調信号の各立ち上がり縁は、通常、図２の形態１３０，１４０，１５０および１６０によって述べられるようなピット／ランド境界に対応する。同様に、立ち下がり縁検出器２１８は、（図２に示されているように各ランド／ピット境界に相当する）変調信号の各立ち下がり縁を検出し、それに応えて立ち下がり縁遅延発生器２２８に経路２２６で検出信号を出力する。多岐に渡る構造が、立ち上がり縁遅延発生器と立ち下がり縁遅延発生器２２４，２２８に使用でき、その結果遅延は、信号処理システム発振器２１４によって、あるいは計時されないアナログ遅延技法によって提供されるクロック信号を使用して生じる。
【００４１】
最適化回路２００は、経路２０６からの入力変調信号の連続して提示されているランド（高）信号部分（すなわち、図２に示されているランドに対応する信号変調信号の部分）のそれぞれの長さおよび振幅を個別に最適化する。ただし、最適化回路２００は、たとえば、最初に変調信号を逆にすることによる変調信号の連続ピット（低）信号部分の検出および補償を通して、ピット／ランド遷移を代わりに調整するように容易に構成し直すことができる。
【００４２】
図４で続けると、ランレングス検出器２２０は、変調信号のそれぞれ連続して受け取られたランド部分（入力信号）のランレングスを特定し、経路２３０でそれぞれ立ち上がり縁遅延テーブル２３２、立ち下がり縁遅延テーブル２３４、および振幅値テーブル２３６に記号長検出信号を出力する。参考のために、テーブル２３２，２３４，２３６は、好ましくは、プロセッサ２１０によって更新されるデジタル的に表記される値を記憶する。それゆえに、テーブル２３２，２３４，２３６は、所望されるようにハードウェアにおいても、あるいはソフトウェアにおいても実現することができる。
【００４３】
立ち上がり縁遅延テーブル２３２および立ち下がり縁遅延テーブル２３４は、それぞれ、ランレングス検出器２２０からの記号長検出信号に基づき、個々に選択され出力される多岐に渡る遅延値を記憶している。一般的には、遅延値を使用すると、入力変調信号の指定されるランド部分の立ち上がり縁および立ち下がり縁を所定の範囲で個別に調整できる。
【００４４】
説明によって、それぞれ名目立ち上がり縁２４２および立ち下がり縁２４４を有する入力変調信号の選択されたランド部分２４０を示す図５が提供される。立ち上がり縁２４２、および立ち下がり縁２４４は、それぞれ、図４のテーブル２３２，２３４の遅延値に応えて、図５の矢印２４６，２４８および対応する点線入りの境界によって示されている範囲で変化することができる。好ましくは、遅延値は、それぞれが０．５ナノ秒（ｎｓ）の合計２５５のステップで増分され、その結果立ち上がり縁および立ち下がり縁２４２，２４４は、それぞれ±６４ｎｓ調整することができる。参考のために、各信号長は、典型的には数百ナノ秒で測定されるので、図５に示されている範囲は必ずしも一定の比例に拡大縮小して表記されていない。
【００４５】
それゆえに、適切な立ち上がり縁遅延値および立ち下がり遅延値は、それぞれ経路２５０と２５２で立ち上がり縁遅延発生器２２４および立ち下がり縁遅延発生器２２８に出力される。立ち上がり縁遅延発生器２２４は、経路２２２の立ち上がり縁検出信号を受け取ると、経路２２２から受け取られる値によって示される時間遅延を開始し、それ以降、セットリセットフリップフロップ（Ｆ／Ｆ）２５６に経路２５４上で設定信号を出力する。応えて、Ｆ／Ｆ２５６は、Ｆ／Ｆ２５６が立ち下がり縁２２８から経路２６０でリセット信号を受け取るようなときまで経路２５８で高出力をアサートする。リセット信号は、経路２２６で立ち下がり縁検出信号を受け取ると、経路２５２から受け取られる遅延値を示す時間遅延を開始することによって立ち下がり縁発生器２２８によってアサートされる。
【００４６】
それゆえに、経路２０６で入力変調信号のそれぞれの検出されたランド部分に応えて、Ｆ／Ｆ２５６は前記説明に従って選択的に遅延された立ち上がり縁および立ち下がり縁を有するパルスを出力する。経路２５８での出力は、さらに振幅値テーブル２３６から経路２６４で振幅値を入力として受け取るドライバ回路２６２に提供される。振幅値は、経路２０２で最適化された変調信号の出力を容易にするために、ドライバ回路２６２の振幅応答を制御する。
【００４７】
テーブル２３２，２３４での場合のように、振幅値テーブル２３６は、ランレングス検出器２２０によって検出された記号長に関係して個々に選択される振幅地の範囲を記憶する。さらに特定すると、振幅値テーブル２３６が、入力変調信号の連続して受け取られたランド部分の振幅を調整するために動作する方法を説明する図６が提供されている。本説明の目的のため、図６のランド部分は、図５に関して前述された同じランド部分に相当するために２４０として示されている。
【００４８】
図６で示されるように、ランド部分２４０は、矢印２６６および対応する破線によって示されている振幅の範囲で選択的に変えることができる名目振幅を有する。好ましくは、振幅値テーブル２３６に記憶されている振幅値は０ボルトから＋４．３ボルトの範囲で高ランド部分２４０の振幅の調整を容易にする（代わりに、振幅値テーブル２３６は、−１．０ボルトから０ボルトの範囲で低ピット部分を調整することができる）。このような調整は、たとえば、所望されるようにより大きい記号長に送達されるエネルギー量を最適化するためだけではなく、相対的により小さい記号長のためにＬＢＲ２０４（図３）のレーザビームによって送達されるエネルギーの量を増加するために望ましい。さらに、振幅は、より詳しく後述されるように人間が読み取ることができる透かしを、複製されたディスクの記録面に選択的に適用するためだけではなく、トラック間干渉（クロストーク）の影響を最小限に抑えるためなどのためにも、ガラスマスタ上に形成されている、結果として生じるピットおよびランドの幅を制御する目的で有利に変調することができる。
【００４９】
図４に戻ると、ここでそこに示されている回路の追加能力が説明される。前記説明に従って、テーブル２３２，２３４にランレングス検出器により検出されたｎＴ記号長の範囲のそれぞれに選択的に適用される遅延値が提供できることが当初述べられた。しかしながら、テーブル２３２，２３４には、さらに、検出された記号長に基づいてだけではなくガラスマスタ上の半径方向の位置および角位置（それゆえ、結果として生じるそこから形成されるレプリカ上の角位置）などの、付加的な根拠にも基づき選択される遅延値が指定できる。
【００５０】
例として、ブロック１１４（図１）の射出成形プロセスに使用されるモールドの特徴が、加熱流路および冷却流路の配列のため不均一な冷却特徴（それゆえに、放射状におよび弧状に広がる欠陥領域）を提供する場合、個々のピット／ランド遷移に対する遅延が複製プロセスを最適化し、改善するために最適に選択できるように、このような情報は容易にコンパイルされ、テーブル２３２，２３４に提供することができる。このような能力は、さらに、各レプリカを圧搾するために必要なサイクル時間の（たとえば、４秒から６秒から３秒以下への）削減を容易にし、複製機構の製造スループット能力を大幅に改善することができることが熟慮される。
【００５１】
今度は図７を参照すると、そこに示されているのは、前述されたように図４の最適化回路２００の動作を表す変調信号最適化ルーチン２７０のフローチャートである。図４の回路はおもにアナログ信号処理技法を利用しているが、一定の用途においては、信号をデジタル的に発生させる、または処理することが望ましい場合があることが熟慮されることが認識されるだろう。それゆえに、図７のルーチンが、代わりに、図４の回路に関して前述された変調信号修正動作を実行するために（図４のプロセッサ２１０などの）デジタルプロセッサによって活用されるプログラミングを表す汎用化されたルーチンと見なすことができることが理解されるだろう。
【００５２】
ブロック２７２の動作によって示されているように、入力記号の立ち上がり縁および立ち下がり縁が最初に特定され、その後入力記号のラン（記号）レングスがブロック２７４によって特定される。適切な振幅値、ブロック２７８だけではなく、適切な立ち上がり縁および立ち下がり縁の遅延がつぎに選択される、ブロック２７６である。最適化された記号はブロック２７６と２７８からの値に従ってタイミングおよび振幅特徴とともにブロック２８０で作成され、その後ルーチンはブロック２８２で終了する。
【００５３】
図３から図７によって述べられる第１の好まれている実施態様の説明を完了して、今度は、第２の好まれている実施態様の機能ブロック図を提供する図８が参照される。説明を明快にする目的で、第１の好まれている実施態様に関して前記に特定された同じまたは類似した要素が、ここに以下に提示される代わりに好まれている実施態様で同様に特定されるだろう。
【００５４】
図８を続けると、そこに示されているのは、信号処理システム２０８によって経路３０６上で提供される入力変調信号に応えてＬＢＲ２０４に対し経路３０２で最適化された変調信号を発生させるように動作するマスタドライバ回路３００である。好ましくは信号処理システム２０８の環境内に置かれる図３と図４の最適化回路２００とは異なり、マスタドライバ回路３００は好ましくはＬＢＲ２０４の隣に、あるいはＬＢＲ２０４の範囲内にも置かれることが注記されるだろう。マスタドライバ回路３００のこの好まれている相対的なロケーションに関連する優位点は、以下に明白になるだろうが、当初、マスタドライバ回路３００のＬＢＲ２０４への相対的な近接さは、通常、信号経路３０２と３０６の相対的な長さによって図８に示されることが注記されるだろう。
【００５５】
図９を参照すると、そこに示されているのは、第１の好まれている構造に従ったマスタドライバ回路３００の機能ブロック図である。マスタドライバ回路３００は、マスタ発振器３１０を使用して（経路３０６から）変調信号を再計時するＤフリップフロップ（Ｆ／Ｆ）３０８を備えるとして示されている。図８には図示されていないが、マスタ発振器３１０が図８のシステムのマスタクロック周波数を確立し、それゆえ（図４に示されている信号処理システム発振器２１４などの）適切な上流回路構成要素を同期させることが理解されるだろう。
【００５６】
マスタ発振器３１０は、代わりに、信号処理システム２０８によって活用される電源から別個であるアナログ電源３１２によって電力を供給される。認識されるように、電源３１２は、好ましくは、多くの場合望ましくない高周波切替え構成部品を導入することがあるデジタル電源に比較して特徴的にさらに清潔な出力を提供するためにアナログ構造となる。最後に、図９のマスタドライバ回路３００は、最適化回路２００が、図４に示されているように、信号処理システム発振器２１４によって計時される代わりに、マスタ発振器３１０からマスタクロック周波数を受け取る点を除き、さらに図４の最適化回路２００を備えるように示される。
【００５７】
それゆえに、マスタドライバ回路３００は、最適化された変調信号の発生のために最適化回路２００に同を提供する前に、変調信号の時間を再計時するために動作する。このようにして、無作為な、周波数に特殊な、データ相互関連ジッタによって生じるエラーは、実際的には、最適化された変調信号から排除することができ、（優れた音声ディスクを含む）優れた光ディスクレプリカの作成を容易にする。電気的な雑音の影響は、さらに、マスタドライバ回路３００をＬＢＲ２０４の実際のレーザビームに実際的に近く、好ましくは用途に応じてＬＢＲ自体の中に置くことによって最小限に抑えられる。
【００５８】
マスタドライバ回路３００は好ましくは最適化回路２００を備えると示されているが、マスタドライバ回路３００がこのような変調信号修正能力を削除するように代わりに構成することができることが明確に理解されるだろう。このような構成は実質的に最適化回路２００によって提示される多様な優位点を排除するが、マスタドライバ回路３００のこの代替実施態様は、それにも関わらず、電気的に誘導されるジッタエラーの影響を、前述のように排除することによってマスタ作成／複製プロセスの多大な改善を提供する。
【００５９】
図３のシステムをマスタドライバ回路３００のこの代替実施態様に組み合わせると、上流最適化回路２００によって提供される信号品質のあらゆる改善を除去する故意ではない結果が与えられることが注記されるべきである。すなわち、マスタ計時が変調信号最適化とともに利用されなければならないとき、最適化回路２００は（図９に示されているように）マスタドライバ回路３００のマスタ計時動作から下流に位置し、それによってマスタ発振器３１０が変調信号の過去に調整された立ち上がり縁および立ち下がり縁を定義し直すのを防ぐ必要がある。
【００６０】
今度は図１０を参照すると、そこに示されているのは本発明の別の好まれている実施態様である。さらに特定すると、図１０は、図３−４の最適化回路２００のようにＬＢＲ２０４による使用のために最適化された変調信号を発生させる（通常３２０で示される）統合された最適化回路を説明する。ただし、従来のように発生した変調信号を活用し、最適化された変調信号を発生させる最適化回路２００とは異なり、図１０の統合された最適化回路３２０は、最適化された変調信号を直接的に発生させる。
【００６１】
図１０に示されているように、統合された最適化回路３２０は、（用途に応じて、ある程度の量の事前調整を含むことがある）経路３２４で入力データを符号化するために動作するランレングスエンコーダ３２２を備える。入力されたデータに応えて、エンコーダ３２２は、立ち上がり縁、立ち下がり縁および記号ランレングス出力を経路２２２，２２６、および２３０で提供し、その後で図１０の回路は、通常、経路２０２で最適化された変調信号を出力するために図３−４の回路２００の最適化の方法および図７のフローに類似した方法で動作する。
【００６２】
今度は図１１を参照すると、そこに示されているのは、本発明の別の好まれている実施態様である。さらに特定すると、図１１は、以下の説明で注記されるのを除き、前述された最適化回路２００および統合された最適化回路３２０に、構造および動作において類似する、埋め込まれたデータ最適化回路３４０の機能ブロック図を提供する。しかしながら、通常、回路３４０は、前のように最適化された変調信号を発生させるために動作し、その結果個々のピット／ランド遷移のタイミングおよび個々の記号の振幅は選択的に、および独立して制御される。それゆえに、前述された実施態様の構成部品および信号経路の複数は、同様に図１１に特定される。明快さのために図１１には図示されていないが、（図４のプロセッサ２１０、メモリ２１２、および発振器２１４などの）信号処理システム２０８の構成部品は、好ましくは、図１１の回路３４０によって同様に活用されることが理解されるだろう。
【００６３】
しかしながら、図１１の回路３４０は、ＬＢＲ２０４によって記録されるデータの第１の一次セットから独立しているガラスマスタ（したがって、その結果生じる複製されたディスク）内に第２の別個のデータのセットを埋め込む追加能力を提供する。後述されるように、このデータは、複製されたディスクの記録面に人間が読み取ることのできる透かしを作成するために「粗い」様式で埋め込むことができるか、あるいは著作権侵害対抗作業および類似作業を強化することができる隠しコードを作成するために「隠し」様式で埋めこむことができる。それぞれのケースで埋め込まれたデータは、それ以外の場合、複製されたディスクの読み戻し特徴に影響を及ぼさない。
【００６４】
回路３４０が有利にデータの第２セットを埋め込む方法がここで説明される。当初、図１１に示されているように、回路３４０によって出力される修正された記号の立ち上がり縁および立ち下がり縁に適用される遅延を選択的に作成するために、それぞれ２組のテーブル３４２，３４４および３４６，３４８が別個に提供される。さらに特定すると、テーブル３４２と３４４は、それぞれ「データゼロ」と「データ１」立ち上がり縁遅延テーブルとして特定され、テーブル３４６と３４８はそれぞれ「データゼロ」と「データ１」立ち下がり縁遅延テーブルとして特定される。
【００６５】
好ましくは、立ち上がり縁テーブル３４２と３４４および立ち下がり縁テーブル３４６と３４８に記憶されている遅延値は、マスタディスク（および結果として生じるレプリカ）上の半径方向の位置および角位置だけではなく、多岐に渡る異なる記号長を補正するためにも、最初に前述された考慮事項を鑑みて選択され（たとえば、図４のプロセッサ２１０によって提供され）る。
【００６６】
しかしながら、立ち上がり縁テーブル３４２と３４４の立ち上がり縁遅延値で始めて、いったん名目遅延値が選択されるとき、これらの名目値は、好ましくは「データゼロ」遅延値を作成するために一様に、後でデータゼロ立ち上がり縁遅延テーブル３４２に記憶される選択された量「減分される」。同様に、名目遅延値は、さらに、データ１立ち上がり縁遅延テーブル３４４に記憶される「データ１」遅延値を作成するために同じ量、「増分される」。同様に、「データゼロ」と「データ１」立ち下がり縁遅延値が作成され、データゼロ立ち下がり縁遅延テーブル３４６とデータ１立ち下がり縁遅延テーブル３４８に記憶される。代替実施態様においては、データゼロ遅延テーブル３４２と３４６は名目遅延値を記憶し、データ１遅延テーブル３４４と３４８は、選択された量、所望されるように増分されるか、減分される遅延値を受け取る。遅延テーブル３４２，３４４，３４６および３４８に記憶される遅延値が微分される量は、埋め込まれたデータが使用されなければならない方法に関して選択される。たとえば、人間が読み取ることのできる透かしが所望されるとき、選択量は数ナノ秒（すなわち、数、または数十のステップでさえ）ある場合がある。逆に、隠しコードは、単一ナノ秒ほど低い選択された微分遅延を使用することにより無事に埋め込まれ、回復することができる。すなわち、回路３４０は、数千ナノ秒伸びる長さを有する記号のピットおよびランド遷移を１ナノ秒によって微分的に調整することによって有利に隠しデータを符号化することができる。
【００６７】
しかしながら、この時点で、図１１から、立ち上がり縁遅延テーブル３４２，３４４がテーブル選択回路３５０に接続され、立ち下がり縁遅延テーブル３４６，３４８が同様にテーブル選択回路３５２に接続されることが分かる。テーブル選択回路３５０，３５２は、代わりに埋め込まれたデータ経路３５６に沿って埋め込まれるデータの第２セットを受け取る埋め込まれたデータエンコーダ３５４によって提供される入力に代わりに作動的に結合され、それによって制御される。
【００６８】
動作中、回路３４０の残りの部分は、前述されたように、経路２０６から変調信号の連続して提示されるランド部分（記号）の、ランレングスだけではなく立ち上がり縁と立ち下がり縁を検出するために動作する。このような動作は、それぞれの遅延テーブル３４２，３４４，３４６および３４８による立ち上がり遅延値および立ち下がり遅延値の個別選択、ならびに同のそれぞれのテーブル選択回路３５０，３５２への出力を含む。経路３５６に沿って埋め込まれたデータが提供されない場合、埋め込まれたデータエンコーダ３５４は、（たとえば、立ち上がり縁の名目遅延タイミングを促進するためのデータゼロ立ち上がり縁遅延テーブル３４２と、立ち下がり縁の名目遅延タイミングを促進するためのデータゼロ立ち下がり縁遅延テーブル３４６などの）選択された立ち上がりテーブルと選択された立ち下がりテーブルの接続をデフォルトとして取る。
【００６９】
しかしながら、データが経路３５６によって埋め込まれたデータエンコーダ３５４に提示されるようなとき、埋め込まれたデータエンコーダは、多様な遅延テーブル３４２，３４４、および３４６，３４８を、提示されたデータに答えて選択的に接続し、それによって埋め込まれたデータを示す最適化された変調信号の名目変動をもたらす。人間によって検出可能な透かしが記録表面に適用されなければならないとき、データは、適用される微分符号化および埋め込まれたデータエンコーダ３５４が動作し、遅延テーブル３４２、３４４、３４６、および３４８からの適切な値を適用する記号の半径方向のロケーションおよび角ロケーションを示す。したがって、透かしのエリアにおけるこれらの記号は、すべて記録面の残り部分よりもわずかに異なる（たとえばより長い）記号長を有し、人間の目で区別可能であろう。
【００７０】
代わりに、隠しデータが符号化されなければならないとき、埋め込まれたデータエンコーダは、隠しデータに関して微分符号化を選択的に適用する。好ましくは、隠しデータの各ビットの期間は、データゼロテーブルとデータ１テーブル（３４２，３４４および３４６，３４８）の間の値を微分するために使用される選択的な量に依存するだろう。通常、選択的な量が小さいほど、隠しデータの各ビットを書き込むために必要となる時間の期間は長くなる（たとえば、１ナノ秒という微分量を使用すると、隠しデータの各ビットが数ミリ秒書き込まれることが必要となる可能性がある）。前記に示されたように、図１１の回路３４０を使用して透かしまたは隠しデータのどちらかを埋め込んでも、最適化された変調信号を使用して符号化される主要なデータの読み戻し品質に大幅な劣化は生じない。埋め込まれたデータエンコーダ３５４が、さらに、データの第２セットの埋め込みを強化するために、振幅値テーブル２３６からの振幅値の選択を変えることができることが理解されるだろう。
【００７１】
過去に符号化された隠しデータが実質的には読み戻し動作中にレプリカから復号される方法が、図１２に関してここに説明される。図１２に示されているように、低域フィルタ３６０は、経路３６２で提供される従来の読み戻し信号、レプリカの通常の読み戻し中に得られる読み戻し信号を濾波するために提供される。認識されるように、低域フィルタ３６０の動作は、読み戻し信号からさらに高い周波数の成分を実質的に除去し、信号の直流（ＤＣ）成分を示す出力信号を経路３６４上で生じさせることを目的としている。それゆえに、その中に隠しデータが埋め込まれているレプリカからの一連のデータ記号から得られるＤＣ成分の監視は、「データゼロ」ビットが「データ１」ビットと異なる相対的なＤＣ世分を含むという点で、埋め込まれているデータの徴候を提供する。多様な埋め込まれている隠しデータビットのロケーションおよびタイミングに関する過去の知識があると、同は、低域フィルタを使用して容易に回復することができる。逆に、このような知識がない場合は、埋め込まれたデータの検出（および未許可の複製）は、通常、達成するのが困難だろう。
【００７２】
それゆえに、本発明は、マスタ、ひいては複製された光ディスクの個々のピットおよびランド遷移を最適化する能力を与えることによって従来の技術に優るいくつかの重要な優位点を提供する。非対称、偏差、およびジッタを含む現代の光ディスクマスタ作成／復製プロセスに固有な多様なエラーは、容易に管理するか、最小限に抑えることができる。さらに、データの別個のセットは、マスタディスクに容易に埋め込むことができ、微分記号長による人間が読み取ることのできる透かしまたは隠しデータの使用を容易にする。
【００７３】
前記説明を鑑みて、ここでは、本発明が、読み戻し特徴を改善し、エラーの影響を最小限に抑えるためにデータの光ディスクへの書込みを最適化するための方法および装置を目的としていることは明らかだろう。
【００７４】
（２００，３２０，３４０などの）最適化回路は、（２０４などの）レーザビームレコーダの書込みビームを変調するために使用される（経路２０２，３０２に沿うなどの）最適化された変調信号を発生させる。該最適化された変調信号は、（１３０，１４０，１５０，１６０で示されているような）光ディスク上の結果として生じるピットおよびランドに相当する（２４０などの）一連のデータ記号を備える。最適化回路は、（２７８，２８０によってなどの）データ記号の振幅だけではなく、（２７６，２８０によってなどの）データ記号のリーディングエッジおよびトレーリングエッジも個別に調整することによって光ディスク上のピットおよびランド遷移のロケーションを最適化する。
【００７５】
このようにして、ディスク上の各ピットおよびランドの特定の長さは、ディスク上のピットおよびランドの半径方向ロケーションと角ロケーションを含むそれ以外の要素だけではなく、名目記号長にも基づいて個別に選択することができる。さらに、ピットおよびランド遷移の選択的な配置は、透かしまたは著作権侵害対抗隠しコードを提供するために光ディスク上で（経路３５６上などで）データの第２セットを埋め込むために使用することができる。最後に、データ相互関連ジッタを含む電気ジッタエラーは、最適化回路による最適化された変調信号の発生の前に初期変調信号を再計時するために使用できる（３００などの）マスタドライバ回路によってさらに最適化することができる。
【００７６】
添付クレームのために、「光ディスク」という語句は、磁気光学ディスク等などのその他の種類のディスクだけではなく、ガラスマスタおよび前述された複製された光ディスクによってデータが光学的に記憶されるディスクを説明するために、前記説明に従って理解されるだろう。さらに、「回路」という用語の使用はハードウェアとソフトウェア両方をベースにしたインプリメンテーションをカバーすると理解されるだろう。
【００７７】
本発明がそこに固有なものだけではなく言及された目的および優位点も達成するために十分に適応されることが明らかだろう。現在好まれている実施態様はこの開示のために説明されてきたが、技術にたけた者に容易にそれら自体を示唆し、添付クレームに開示され、定義される本発明の精神に含まれる多数の変更が加えられてよい。
【００７８】
以上、説明したとおり、この発明によれば、データを光ディスクに書きこむことに関連するエラーを最小限に抑えることができる。
【図面の簡単な説明】
【００７９】
【図１】複製された光ディスクを作成するために使用される光ディスクマスタ作成／複製プロセスを示すフローチャートである。
【図２】図１のプロセスに関連する多様な種類のエラーを説明する、多様なレプリカ形態の表記を示す図である。
【図３】光ディスクマスタ作成プロセスの間にレーザビームレコーダによって使用するための最適化された変調信号を発生させるために使用される最適化回路を含む、本発明の第１の好まれている実施態様の機能ブロック図であり、該最適化回路は信号処理システムによって発生する変調信号に応えて最適化された変調信号を発生させることを示す図である。
【図４】さらに詳細に図３の最適化回路を示す機能ブロック図である。
【図５】変調信号の個々の記号（ランド部分）の表記を提供し、最適化回路が記号の立ち上がり縁と立ち下がり縁を有利に調整できる方法を示す図である。
【図６】図５の記号の表記を提供し、最適化回路が記号の振幅を有利に調整できる方法を示す図である。
【図７】図４の最適化回路に従って、変調信号最適化ルーチンの間に実行されるステップを示すフローチャートである。
【図８】レーザビームレコーダによって使用されるための最適化された変調信号を発生させるマスタドライバ回路を含む、本発明の第２の好まれている実施態様の機能を示すブロック図である。
【図９】好ましくは図４の最適化回路を含む、マスタドライバ回路の機能ブロック図をさらに詳細に示す図である。
【図１０】本発明の第３の好まれている実施態様の機能ブロック図であって、直接的に最適化された変調信号を発生させる統合された最適化回路を示す図である。
【図１１】本発明の第４の好まれている実施態様の機能ブロック図であって、透かしの作成または隠しデータをレプリカに書き込むことを容易にするために、最適化された変調信号の中にデータの第２セットを埋め込むことができる埋め込み型データ最適化回路を示す図である。
【図１２】図１１の回路によって符号化される隠しデータを回復するために使用される読み戻し動作での低域フィルタの使用を説明する図である。
【符号の説明】
【００８０】
２００  最適化回路
２０４  レーザビームレコーダ
２０８  信号処理システム
２１０  プロセッサ
２１２  メモリ
２１４  発振器
２１６  立ち上がり縁検出器
２１８  立ち下がり縁検出器
２２０  ランレングス検出器
２２４  立ち上がり縁遅延発生器
２２８  立ち下がり縁遅延発生器
２３２  立ち上がり縁遅延テーブル
２３４  立ち下がり縁遅延テーブル
２３６  振幅値テーブル
２５６  セットリセットフリップフロップ（Ｆ／Ｆ）
３００  マスタドライバ回路
３１０  マスタ発振器
３１２  アナログ電源
３４２  データゼロ立ち上がり縁遅延テーブル
３４４  データ１立ち上がり縁遅延テーブル
３４６  データゼロ立ち下がり縁遅延テーブル
３４８  データ１立ち下がり縁遅延テーブル
３５０  テーブル選択回路
３５２  テーブル選択回路
３５４  埋め込まれたデータエンコーダ
３６０  低域フィルタ
【図１】
2008108422.tif 000003
【図２】
2008108422.tif 000004
【図３】
2008108422.tif 000005
【図４】
2008108422.tif 000006
【図５】
2008108422.tif 000007
【図６】
2008108422.tif 000008
【図７】
2008108422.tif 000009
【図８】
2008108422.tif 000010
【図９】
2008108422.tif 000011
【図１０】
2008108422.tif 000012
【図１１】
2008108422.tif 000013
【図１２】
2008108422.tif 000014